(57)【特許請求の範囲】
【請求項１】
光を発する発光手段と、
前記発光手段の調光率を制御する調光手段と、
映像をスクリーンに投影する映像投影装置から前記スクリーンの位置情報を受信する通信手段と、
自装置の位置情報を測定する位置測定手段と、を有し、
前記調光手段は、前記映像投影装置の使用時に、前記通信手段が前記映像投影装置から受信した前記スクリーンの位置情報と、前記位置測定手段で測定した前記自装置の位置情報と、を基に、前記スクリーンと前記自装置との間の距離を算出し、該算出した距離に応じた調光率に変更する、ことを特徴とする照明装置。
【請求項２】
前記スクリーンと前記自装置との間の距離を測定する距離測定手段を有し、
前記調光手段は、前記映像投影装置の使用時に、前記距離測定手段で測定した前記距離に応じた調光率に変更する、ことを特徴とする請求項１記載の照明装置。
【請求項３】
照度を測定する照度測定手段を有し、
前記調光手段は、前記照度測定手段で測定した照度が所定の目標照度になるように前記調光率を変更する、ことを特徴とする請求項１または請求項２記載の照明装置。
【請求項４】
映像をスクリーンに投影する映像投影装置であって、
前記スクリーンと請求項１から３の何れか１項に記載の照明装置との間の距離に応じた調光率を前記照明装置毎に記憶する記憶手段と、
前記映像投影装置の使用時に、前記記憶手段に記憶された前記調光率を対応する前記照明装置に通知し、前記照明装置の発光手段の調光率を、前記記憶手段に記憶された前記調光率に変更する調光判断手段と、を有することを特徴とする映像投影装置。
【請求項５】
前記映像投影装置の光源の使用状態を検出する検出手段を有し、
前記記憶手段は、前記光源の使用状態に応じた複数の前記調光率を前記照明装置毎に記憶し、
前記調光判断手段は、前記映像投影装置の使用時に、前記記憶手段に記憶された複数の前記調光率の中から前記検出手段で検出した前記使用状態に応じた前記調光率を決定し、該決定した前記調光率を対応する前記照明装置に通知する、ことを特徴とする請求項４記載の映像投影装置。
【請求項６】
異なる位置に設置された複数の請求項１から３の何れか１項に記載の照明装置と、映像をスクリーンに投影する映像投影装置と、を有する映像投影システムであって、
前記照明装置は、
光を発する発光手段と、
前記発光手段の調光率を制御する調光手段と、を有し、
前記調光手段は、前記映像投影装置の使用時に、前記スクリーンと自装置との間の距離に応じた調光率に変更する、ことを特徴とする映像投影システム。
【請求項７】
請求項１から３の何れか１項に記載の照明装置の制御方法であって、
発光手段から光を発光する発光工程と、
前記発光手段の調光率を制御する調光工程と、を有し、
前記調光工程は、映像をスクリーンに投影する映像投影装置の使用時に、前記スクリーンと自装置との間の距離に応じた調光率に変更する、ことを特徴とする制御方法。
【請求項８】
映像をスクリーンに投影する映像投影装置の制御方法であって、
前記映像投影装置の使用時に、前記スクリーンと請求項１から３の何れか１項に記載の照明装置との間の距離に応じた調光率を前記照明装置毎に記憶する記憶手段に記憶された前記調光率を対応する照明装置に通知し、前記照明装置の発光手段の調光率を、前記記憶手段に記憶された前記調光率に変更する調光判断工程を有することを特徴とする制御方法。
【発明の詳細な説明】
【技術分野】
【０００１】
本発明は、照明装置の調光率を変更する技術に関する。
【背景技術】
【０００２】
会議室等の部屋でプロジェクタを使用する場合は、プロジェクタからスクリーンに投影した映像を見やすくするために部屋の照明装置の電源をオフする必要がある。
【０００３】
このため、例えば、特許文献１（特開２０１２−１０８１６７号公報）には、プロジェクタのオンオフに連動して照明電源をオンオフする技術について開示されている。
【０００４】
特許文献１では、プロジェクタの電源がオンされたとき、照明器具用スイッチを切断して照明器具への照明電源をオフするようにしている。また、プロジェクタの電源がオフされたとき、照明器具用スイッチを接続して照明器具への照明電源をオンするようにしている。
【発明の概要】
【発明が解決しようとする課題】
【０００５】
特許文献１は、プロジェクタのオンオフに連動して照明電源をオンオフすることを可能にしている。しかし、特許文献１は、プロジェクタの電源をオンした場合は、照明器具の照明電源をオフするため、プロジェクタの使用時は、照明器具を使用せず、プロジェクタの光源のみを照明として使用することになる。その結果、特許文献１の技術では、会議室等の部屋の位置によっては、プロジェクタの光源だけでは暗くなってしまい、メモなどを書いたり、配布資料を確認したりするといった作業に支障をきたしてしまう場合がある。
【０００６】
例えば、図１に示すように、プロジェクタ使用時の会議室内において全ての照明装置Ａ〜Ｄの電源をＯＮにしている場合は、会議室内の中の各エリアＡ〜Ｄは、十分な明るさを確保することができる。各エリアＡ〜Ｄは、照度が１０００ｌｕｘ程度になっている。しかし、スクリーン１０２の付近も明るくなるため、プロジェクタ１０１からスクリーン１０２上に投影して表示した映像が見え難くなってしまう。
【０００７】
また、図２に示すように、全ての照明装置Ａ〜Ｄの電源をＯＦＦにすると、プロジェクタ１０１からスクリーン１０２上に投影して表示した映像を見やすくすることができる。各エリアＡ〜Ｄは、プロジェクタ１０１の光源により照度が２００ｌｕｘ〜４００ｌｕｘ程度の範囲になっている。この場合、プロジェクタ１０１の周辺のエリアＣ、Ｄではプロジェクタ１０１の光源により十分な明るさを確保することができる。しかし、プロジェクタ１０１から離れているエリアＡ、Ｂでは十分な明るさを確保することができない。このため、エリアＡ、Ｂでは、メモなどを書いたり、配布資料を確認したりするといった作業がやり難くなってしまうことになる。このようなことから、プロジェクタ１０１等の映像投影装置の使用時に照明装置Ａ〜Ｄの明るさを最適化することが必要視されることになる。
【０００８】
本発明の目的は、映像投影装置の使用時に照明装置の明るさを最適化することである。
【課題を解決するための手段】
【０００９】
本発明の一態様にかかる照明装置は、
光を発する発光手段と、
前記発光手段の調光率を制御する調光手段と、
映像をスクリーンに投影する映像投影装置から前記スクリーンの位置情報を受信する通信手段と、
自装置の位置情報を測定する位置測定手段と、を有し、
前記調光手段は、前記映像投影装置の使用時に、前記通信手段が前記映像投影装置から受信した前記スクリーンの位置情報と、前記位置測定手段で測定した前記自装置の位置情報と、を基に、前記スクリーンと前記自装置との間の距離を算出し、該算出した距離に応じた調光率に変更する、ことを特徴とする。
【発明の効果】
【００１０】
本発明の一態様によれば、映像投影装置の使用時に照明装置の明るさを最適化することができる。
【図面の簡単な説明】
【００１１】
【図１】従来のプロジェクタ使用時の照明装置Ａ〜Ｄの状態を示す第１の図である。
【図２】従来のプロジェクタ使用時の照明装置Ａ〜Ｄの状態を示す第２の図である。
【図３】第１の実施形態の映像投影システムのシステム構成例を示す図である。
【図４】第１の実施形態のプロジェクタ、照明装置の構成例を示す図である。
【図５】第１の実施形態の映像投影システムの処理動作例を示す図である。
【図６】本実施形態のプロジェクタ使用時の照明装置Ａ〜Ｄの状態を示す図である。
【図７】第２の実施形態のプロジェクタ、照明装置の構成例を示す図である。
【図８】第２の実施形態の映像投影システムの処理動作例を示す第１の図である。
【図９】第２の実施形態の映像投影システムの処理動作例を示す第２の図である。
【図１０】第３の実施形態の映像投影システムの処理動作例を示す図である。
【図１１】第３の実施形態のプロジェクタの記憶部に記憶される調光率を示す図である。
【図１２】第４の実施形態のプロジェクタ、照明装置の構成例を示す図である。
【図１３】第４の実施形態の映像投影システムの処理動作例を示す図である。
【図１４】第５の実施形態のプロジェクタ、照明装置の構成例を示す図である。
【図１５】第５の実施形態の映像投影システムの処理動作例を示す図である。
【図１６】第６の実施形態のプロジェクタ、照明装置の構成例を示す図である。
【図１７】第６の実施形態のプロジェクタの記憶部に記憶される調光率を示す図である。
【図１８】第６の実施形態の映像投影システムの処理動作例を示す第１の図である。
【図１９】第６の実施形態の映像投影システムの処理動作例を示す第２の図である。
【発明を実施するための形態】
【００１２】
（本発明の一態様にかかる映像投影システムの実施形態の概要）
まず、図３〜図６を参照しながら、本発明の一態様にかかる映像投影システムの実施形態の概要について説明する。図３は、本発明の一態様にかかる映像投影システムのシステム構成例を示す図である。図４は、本発明の一態様にかかる映像投影システムを構成する映像投影装置、照明装置の構成例を示す図である。図５は、本発明の一態様にかかる映像投影システムの処理動作例を示す図である。図６は、本発明の一態様にかかる映像投影装置使用時の照明装置Ａ〜Ｄの状態を示す図である。映像投影装置は、例えば、プロジェクタ１が機能する。
【００１３】
本発明の一態様にかかる映像投影システムは、図３に示すように、異なる位置に設置された複数の照明装置と、映像をスクリーンに投影する映像投影装置と、を有して構成する。
【００１４】
本発明の一態様にかかる照明装置は、図４に示すように、発光手段、調光手段を有して構成する。発光手段は、光を発する。発光手段は、図４に示す発光部３１が機能する。調光手段は、発光手段の調光率を制御する。調光手段は、図４に示す調光部３３が機能する。
【００１５】
調光手段は、図５に示すように、映像投影装置の使用時に、スクリーン２と自装置３との間の距離に応じた調光率に変更する（ステップS7）。例えば、照明装置Ａは、スクリーン２と自装置Ａとの間の距離に応じた調光率Ｗ％に変更する。また、照明装置Ｂは、スクリーン２と自装置Ｂとの間の距離に応じた調光率Ｘ％に変更する。また、照明装置Ｃは、スクリーン２と自装置Ｃとの間の距離に応じた調光率Ｙ％に変更する。また、照明装置Ｄは、スクリーン２と自装置Ｄとの間の距離に応じた調光率Ｚ％に変更する。これにより、本発明の一態様にかかる映像投影システムは、図６に示すように、映像投影装置の使用時に照明装置Ａ〜Ｄの明るさを最適化することができる。以下、添付図面を参照しながら、本発明の一態様にかかる映像投影システムについて詳細に説明する。なお、以下の実施形態では、映像投影装置としてプロジェクタを例に説明する。
【００１６】
（第１の実施形態）
＜映像投影システムのシステム構成例＞
まず、図３を参照しながら、本実施形態の映像投影システムのシステム構成例について説明する。図３は、映像投影システムのシステム構成例を示す図である。
【００１７】
本実施形態の映像投影システムは、プロジェクタ１、スクリーン２、複数の照明装置３、照明スイッチ４を有して構成する。
【００１８】
プロジェクタ１は、映像をスクリーン２上に投影する。スクリーン２は、プロジェクタ１から投影された映像を表示する。照明装置３は、光を発する。本実施形態の照明装置３は、会議室などの部屋に複数設置され、照明装置３から発した光により会議室などの部屋内を明るくする。本実施形態では、照明装置３は、４つの照明装置Ａ〜Ｄを有し、スクリーン２から最も遠い位置に設置された照明装置３を照明装置Ａとし、スクリーン２の最も近くに設置された照明装置３を照明装置Ｄとしている。本実施形態の照明装置３の数は４つに限定せず、任意の数で構成することが可能である。照明スイッチ４は、照明装置３に電源を供給する。例えば、照明スイッチ４をオンすることで、照明装置３への電源供給を開始する。また、照明スイッチ４をオフすることで、照明装置３への電源供給を終了する。
【００１９】
＜プロジェクタ１、照明装置３の構成例＞
次に、図４を参照しながら、本実施形態のプロジェクタ１、照明装置３の構成例について説明する。図４は、プロジェクタ１、照明装置３の構成例を示す図である。
【００２０】
本実施形態のプロジェクタ１は、投影部１１、記憶部１２、制御部１３、調光判断部１４、通信部１５、電源部１６を有して構成する。
【００２１】
投影部１１は、映像をスクリーン２上に投影する。記憶部１２は、各種情報を記憶する。制御部１３は、プロジェクタ１を制御する。調光判断部１４は、照明装置３の調光制御を行うか否かを判断する。通信部１５は、照明装置２と通信を行い、各種情報を送受信する。通信部１５は、有線、無線を問わずあらゆる通信形態が適用可能である。電源部１６は、プロジェクタ１に電源を供給する。
【００２２】
本実施形態の照明装置３は、発光部３１、記憶部３２、調光部３３、制御部３４、調光率設定部３５、通信部３６、電源部３７を有して構成する。
【００２３】
発光部３１は、光を発する。記憶部３２は、各種情報を記憶する。調光部３３は、発光部３１から発する光を調整する。制御部３４は、照明装置３を制御する。調光率設定部３５は、調光部３３で調整する光の調光率を設定する。通信部３６は、プロジェクタ１と通信を行い、各種情報を送受信する。通信部３６は、有線、無線を問わずあらゆる通信形態が適用可能である。電源部３７は、照明装置３に電源を供給する。
【００２４】
本実施形態の照明装置３の記憶部３２には、プロジェクタ１の使用時に発光部３１から発する光を調整するための調光率が記憶されている。記憶部３２に記憶される調光率は、図３に示す会議室内に設置される照明装置Ａ〜Ｄ毎に異なる。会議室では、照明装置３、プロジェクタ１、スクリーン２の設置位置は通常固定されており、設置位置が変動するケースは少ない。このため、プロジェクタ１の使用時に各照明装置Ａ〜Ｄの明るさを調整する際の指標となる調光率を決定し、その決定した調光率を照明装置Ａ〜Ｄの記憶部３２に設定して記憶する。そして、各照明装置Ａ〜Ｄは、記憶部３２に記憶された調光率で発光部３１から光を点灯することで、照明装置Ａ〜Ｄ毎に調光率を変更することができる。記憶部３２に記憶する調光率は、プロジェクタ１の使用時に最適な調光率を予め測定し、ＰＣやプロジェクタ１などの照明装置３と通信できる機器を用いて設定することができる。記憶部３２に記憶する調光率は、プロジェクタ１の使用時に照明装置Ａ〜Ｄの明るさを最適化するために、スクリーン２と照明装置３との間の距離に応じた調光率となる。これは、スクリーン２から遠い位置に設置された照明装置Ａは、調光率を高くし、照明を明るくする必要があり、また、スクリーン２から近い位置に設置された照明装置Ｄは、調光率を低くし、照明を暗くする必要があるためである。
【００２５】
＜映像投影システムの処理動作例＞
次に、図５を参照しながら、本実施形態の映像投影システムの処理動作例について説明する。図５は、映像投影システムの処理動作例を示す図である。
【００２６】
まず、照明スイッチ４をＯＮにした場合に（ステップS1/Yes）、照明スイッチ４は、各照明装置Ａ〜Ｄに電源を供給する（ステップS2）。これにより、各照明装置Ａ〜Ｄは、発光部３１から光を発して点灯を開始する（ステップS3）。点灯開始時は、調光率１００％で発光部３１から光を点灯する。
【００２７】
次に、プロジェクタ１の電源をＯＮにした場合、または、投影を開始した場合に（ステップS4/Yes）、調光判断部１４は、各照明装置Ａ〜Ｄの調光制御を開始すると判断する。そして、調光判断部１４は、電源をＯＮにした旨、または、投影を開始した旨を各照明装置Ａ〜Ｄに通知する（ステップS5）。
【００２８】
各照明装置Ａ〜Ｄは、電源をＯＮにした旨、または、投影を開始した旨を受け付けた場合に、調光制御を開始する（ステップS6）。各照明装置Ａ〜Ｄの調光率設定部３５は、記憶部３２に記憶された調光率を調光部３３に通知し、調光部３３は、発光部３１から発する光の調光率を記憶部３２に記憶されたＷ、Ｘ、Ｙ、Ｚ％の調光率になるように制御する（ステップS7）。これにより、各照明装置Ａ〜Ｄは、記憶部３２に記憶された調光率で発光部３１から光を点灯することになる。例えば、照明装置Ａは、記憶部３２に記憶されたＷ％の調光率で発光部３１から光を点灯することになる。照明装置Ｂは、記憶部３２に記憶されたＸ％の調光率で発光部３１から光を点灯することになる。照明装置Ｃは、記憶部３２に記憶されたＹ％の調光率で発光部３１から光を点灯することになる。照明装置Ｄは、記憶部３２に記憶されたＺ％の調光率で発光部３１から光を点灯することになる。Ｗ、Ｘ、Ｙ、Ｚ％の調光率は、スクリーン２から遠い位置に設置された照明装置ほど高く設定されている。このため、Ｗ、Ｘ、Ｙ、Ｚ％の調光率は、調光率が高い順にＷ％→Ｘ％→Ｙ％→Ｚ％となる。このため、スクリーン２に最も近い照明装置Ｄは、点灯開始時からの調光率の低減量が最も多く、最も低いＺ％の調光率で発光部３１から光を点灯することになる。また、スクリーン２から最も遠い照明装置Ａは、点灯開始時からの調光率の低減量が最も少なく、最も高いＷ％の調光率で発光部３１から光を点灯することになる。
【００２９】
これにより、本実施形態の映像投影システムは、プロジェクタ１の使用時に、図６に示すように、照明装置Ａ〜Ｄ毎に調光率を変え、照明装置Ａ〜Ｄの明るさを最適化することができる。その結果、会議室内のどのエリアＡ〜Ｄであっても、必要な明るさを確保し、メモなどを書いたり、配布資料を確認したりするといった作業がやりやすい環境を構築することができる。図６では、照明装置Ａ〜Ｄ毎に調光率を変え、各エリアＡ〜Ｄの照度を４００ｌｕｘ以上にした場合を示している。
【００３０】
次に、プロジェクタ１の電源をＯＦＦにした場合、または、投影を終了した場合に（ステップS8/Yes）、調光判断部１４は、各照明装置Ａ〜Ｄの調光制御を終了すると判断する。そして、調光判断部１４は、電源をＯＦＦにした旨、または、投影を終了した旨を各照明装置Ａ〜Ｄに通知する（ステップS9）。
【００３１】
各照明装置Ａ〜Ｄは、電源をＯＦＦにした旨、または、投影を終了した旨を受け付けた場合に、調光制御を終了し、調光率を元の１００％に戻す（ステップS10）。これにより、各照明装置Ａ〜Ｄは、１００％の調光率で発光部３１から光を点灯することになる（ステップS11）。
【００３２】
＜本実施形態の映像投影システムの作用・効果＞
本実施形態の照明装置Ａ〜Ｄは、電源が供給された際は、調光率１００％で発光部３１から光を点灯する（ステップS3）。そして、照明装置Ａ〜Ｄは、プロジェクタ１の使用時に、調光制御を開始し（ステップS6）、記憶部３２に記憶された調光率で発光部３１から光を点灯する（ステップS7）。これにより、本実施形態の映像投影システムは、プロジェクタ１の使用時に、図６に示すように、照明装置Ａ〜Ｄ毎に調光率を変え、照明装置Ａ〜Ｄの明るさを最適化することができる。その結果、会議室内のどのエリアＡ〜Ｄであっても、必要な明るさを確保することができる。
【００３３】
（第２の実施形態）
次に、第２の実施形態について説明する。
【００３４】
第１の実施形態は、プロジェクタ１の使用時に、各照明装置Ａ〜Ｄの記憶部３２に記憶された調光率で発光部３１から光を点灯し、照明装置Ａ〜Ｄの明るさを最適化することにしている。しかし、記憶部３２に記憶された調光率で発光部３１から光を点灯しても会議室内の使用環境によっては、照明装置Ａ〜Ｄの明るさを最適化することができない場合も考えられる。例えば、窓などから会議室内に光が入り、会議室内の一部のエリアが明るくなったりする場合がある。この場合、一部のエリアは、記憶部３２に記憶された調光率で発光部３１から光を点灯すると、必要な明るさ以上に明るくなってしまうことになる。
【００３５】
第２の実施形態は、各照明装置Ａ〜Ｄは、図７に示すように、照度測定部３８を有し、照度測定部３８で測定した照度結果を基に、発光部３１から発する光の調光率を変更する。これにより、会議室内の使用環境が動的に変化した場合でも、照明装置Ａ〜Ｄの明るさを最適化することができる。以下、図７〜図９を参照しながら、本実施形態の映像投影システムについて詳細に説明する。
【００３６】
＜照明装置３の構成例＞
まず、図７を参照しながら、本実施形態の照明装置３の構成例について説明する。図７は、プロジェクタ１、照明装置３の構成例を示す図である。
【００３７】
本実施形態の照明装置３は、照度測定部３８を有している。照度測定部３８は、照明装置３が設置されたエリアの照度を測定する。照度測定部３８は、照明装置３が設置されたエリアの照度を測定することが可能であれば、あらゆる測定方法が適用可能である。本実施形態の調光部３３は、照度測定部３８で測定した照度結果を基に、発光部３１から発する光の調光率を変更する。
【００３８】
＜映像投影システムの処理動作例＞
次に、図８、図９を参照しながら、本実施形態の映像投影システムの処理動作例について説明する。図８、図９は、映像投影システムの処理動作例を示す図である。
【００３９】
各照明装置Ａ〜Ｄは、第１の実施形態と同様に、プロジェクタ１の使用時に、調光制御を開始する（ステップS6）。本実施形態の各照明装置Ａ〜Ｄの調光部３３は、照度測定部３８で測定した照度結果に基づいて、発光部３１から発する光の調光率を変更する（ステップS20）。ステップS20の調光率の変更処理例の詳細を図９に示す。
【００４０】
まず、調光部３３は、照度測定部３８で測定した照度測定データが所定の目標照度と異なっているか否かを判定する（ステップS21）。目標照度は、プロジェクタ１の使用時に各照明装置Ａ〜Ｄの発光部３１から光を発した際に最適な照度であり、記憶部３２に予め記憶される。
【００４１】
照度測定部３８で測定した照度測定データが所定の目標照度と同じである場合は（ステップS21/No）、発光部３１から発した光が最適な照度環境になっているため、その時の調光率で発光部３１から光を点灯するように調光率を決定する（ステップS22）。そして、処理を終了する（End）。
【００４２】
また、照度測定部３８で測定した照度測定データが目標照度と異なる場合は（ステップS21/Yes）、発光部３１から発した光が最適な照度環境になっていないため、調光率を変更する。この場合、まず、照度測定部３８で測定した照度測定データが目標照度よりも小さい場合は（ステップS23/Yes）、発光部３１から発する光の調光率を所定の値だけ上げる（ステップS24）。例えば、調光率を１％だけ上げる。これにより、照明装置３の周囲を明るくすることができる。また、照度測定部３８で測定した照度測定データが目標照度よりも大きい場合は（ステップS23/No）、発光部３１から発する光の調光率を所定の値だけ下げる（ステップS25）。例えば、調光率を１％だけ下げる。これにより、照明装置３の周囲を暗くすることができる。
【００４３】
調光部３３は、照度測定部３８で測定した照度測定データが目標照度と同じになるまで、ステップS24、S25による調光率の変更処理を行うことになる。そして、調光部３３は、照度測定部３８で測定した照度測定データが目標照度と同じになった場合に、ステップS24、S25による調光率の変更処理を終了する。そして、その時の調光率で発光部３１から光を点灯するように調光率を決定し（ステップS22）、処理を終了する（End）。
【００４４】
＜本実施形態の映像投影システムの作用・効果＞
本実施形態の照明装置Ａ〜Ｄは、照度測定部３８を有し、照度測定部３８で測定した照度結果を基に、発光部３１から発する光の調光率を変更する。これにより、会議室内の使用環境が動的に変化した場合でも、照明装置Ａ〜Ｄの明るさを最適化することができる。
【００４５】
なお、図８に示す処理動作例では、プロジェクタ１の使用時に、照度測定部３８で測定した照度結果を基に、発光部３１から発する光の調光率を変更するようにしている（ステップS20）。しかし、プロジェクタ１の使用時に、ステップS8の処理を行い、記憶部３２に記憶された調光率で発光部３１から光を点灯する。そして、ステップS8の処理を行った後に、ステップS20の処理を行い、照度測定部３８で測定した照度結果を基に、発光部３１から発する光の調光率を変更することも可能である（ステップS20）。
【００４６】
また、図９の処理動作例では、ステップS24、S25の処理により、発光部３１から発する光の調光率を所定の値だけ上げたり、下げたりすることで調光率を変更することにしている。しかし、照度測定部３８で測定した照度測定データと目標照度との差分に応じた値だけ調光率を上げたり下げたりするようにすることも可能である。これにより、ステップS24、S25の処理回数を少なくすることができる。
【００４７】
（第３の実施形態）
次に、第３の実施形態について説明する。
【００４８】
第１、第２の実施形態では、各照明装置Ａ〜Ｄの記憶部３２に記憶された調光率で発光部３１から光を点灯し、照明装置Ａ〜Ｄの明るさを最適化することにしている。
【００４９】
第３の実施形態は、プロジェクタ１から各照明装置Ａ〜Ｄに調光率を通知する。そして、各照明装置Ａ〜Ｄは、プロジェクタ１から通知された調光率で発光部３１から光を点灯し、照明装置Ａ〜Ｄの明るさを最適化する。これにより、各照明装置Ａ〜Ｄの記憶部３２に調光率を設定しなくとも、プロジェクタ１から通知された調光率で照明装置Ａ〜Ｄの明るさを最適化することができる。以下、図１０を参照しながら、本実施形態の映像投影システムについて詳細に説明する。
【００５０】
＜映像投影システムの処理動作例＞
図１０を参照しながら、本実施形態の映像投影システムの処理動作例について説明する。図１０は、映像投影システムの処理動作例を示す図である。
【００５１】
本実施形態のプロジェクタ１の調光判断部１４は、プロジェクタ１の電源をＯＮにした場合、または、投影を開始した場合に（ステップS4/Yes）、各照明装置Ａ〜Ｄの調光制御を開始すると判断する。そして、調光判断部１４は、各照明装置Ａ〜Ｄに対応した調光率を各照明装置Ａ〜Ｄに通知する（ステップS35）。本実施形態のプロジェクタ１は、図１１に示すように、各照明装置Ａ〜Ｄに通知する調光率を照明装置毎に記憶部１２に記憶しており、調光判断部１４は、記憶部１２に記憶されている各照明装置Ａ〜Ｄの調光率を各照明装置Ａ〜Ｄに通知する。各照明装置Ａ〜Ｄに通知する調光率は、第１の実施形態で各照明装置Ａ〜Ｄの記憶部３２に設定した調光率と同じ値である。記憶部１２に記憶する調光率は、プロジェクタ１の使用時に最適な調光率を予め測定し、ＰＣやプロジェクタ１などを操作して設定することが可能である。
【００５２】
各照明装置Ａ〜Ｄは、プロジェクタ１から調光率を受信した場合に、調光制御を開始する（ステップS36）。各照明装置Ａ〜Ｄの調光率設定部３５は、プロジェクタ１から受信した調光率を調光部３３に通知し、調光部３３は、発光部３１から発する光の調光率をプロジェクタ１から受信した調光率になるように制御する（ステップS37）。これにより、各照明装置Ａ〜Ｄは、プロジェクタ１から受信した調光率で発光部３１から光を点灯することになる。例えば、照明装置Ａは、プロジェクタ１から受信したＷ％の調光率で発光部３１から光を点灯することになる。照明装置Ｂは、プロジェクタ１から受信したＸ％の調光率で発光部３１から光を点灯することになる。照明装置Ｃは、プロジェクタ１から受信したＹ％の調光率で発光部３１から光を点灯することになる。照明装置Ｄは、プロジェクタ１から受信したＺ％の調光率で発光部３１から光を点灯することになる。
【００５３】
これにより、本実施形態の映像投影システムは、プロジェクタ１の使用時に、図６に示すように、照明装置Ａ〜Ｄ毎に調光率を変え、照明装置Ａ〜Ｄの明るさを最適化することができる。その結果、会議室内のどのエリアＡ〜Ｄであっても、必要な明るさを確保し、メモなどを書いたり、配布資料を確認したりするといった作業がやりやすい環境を構築することができる。
【００５４】
＜本実施形態の映像投影システムの作用・効果＞
本実施形態のプロジェクタ１は、プロジェクタ１の使用時に各照明装置Ａ〜Ｄに対応する調光率を各照明装置Ａ〜Ｄに通知する。そして、各照明装置Ａ〜Ｄは、プロジェクタ１から受信した調光率で発光部３１から光を点灯し、照明装置Ａ〜Ｄの明るさを最適化する。これにより、各照明装置Ａ〜Ｄの記憶部３２に調光率を設定しなくとも、プロジェクタ１から受信した調光率で照明装置Ａ〜Ｄの明るさを最適化することができる。
【００５５】
（第４の実施形態）
次に、第４の実施形態について説明する。
【００５６】
第４の実施形態は、プロジェクタ１および照明装置３は、図１２に示すように、位置測定部１７、３９を有して構成し、位置測定部１７でプロジェクタ１の位置を測定し、そのプロジェクタ１の位置を基にスクリーン２の位置を特定する。また、位置測定部３９で照明装置３の位置を測定する。そして、各照明装置Ａ〜Ｄは、スクリーン２の位置と、照明装置３自身の位置と、の位置関係を基に、照明装置３自身の調光率を変更する。例えば、照明装置３がスクリーン２に近い場合は、調光率を低くして照明を暗くし、スクリーン２から遠い場合は、調光率を高くして照明を明るくする。これにより、スクリーン２の位置と、照明装置３自身の位置と、の位置関係を基に、照明装置３自身の調光率を変更し、照明装置Ａ〜Ｄの明るさを最適化することができる。以下、図１２、図１３を参照しながら、本実施形態の映像投影システムについて詳細に説明する。
【００５７】
＜プロジェクタ１、照明装置３の構成例＞
まず、図１２を参照しながら、本実施形態のプロジェクタ１、照明装置３の構成例について説明する。図１２は、プロジェクタ１、照明装置３の構成例を示す図である。
【００５８】
本実施形態のプロジェクタ１は、位置測定部１７を有している。位置測定部１７は、プロジェクタ１の位置情報を測定する。
【００５９】
本実施形態の照明装置３は、位置測定部３９を有している。位置測定部３９は、照明装置３の位置情報を測定する。
【００６０】
位置測定部１７、３９における位置情報の測定は、例えば、ＧＰＳ等を用いて行う。但し、位置測定部１７、３９は、プロジェクタ１や照明装置３の位置情報を測定することが可能であれば、あらゆる測定方法を用いることが可能である。
【００６１】
＜映像投影システムの処理動作例＞
次に、図１３を参照しながら、本実施形態の映像投影システムの処理動作例について説明する。図１３は、映像投影システムの処理動作例を示す図である。
【００６２】
本実施形態のプロジェクタ１の調光判断部１４は、プロジェクタ１の電源をＯＮにした場合、または、投影を開始した場合に（ステップS4/Yes）、各照明装置Ａ〜Ｄの調光制御を開始すると判断する。そして、調光判断部１４は、位置測定部１７で測定したプロジェクタ１の位置情報を基にスクリーン２の位置を特定し、スクリーン２の位置情報を各照明装置Ａ〜Ｄに通知する（ステップS45）。プロジェクタ１とスクリーン２との間の位置関係は通常固定されている。このため、位置測定部１７で測定したプロジェクタ１の位置情報を基にスクリーン２の位置を特定することができる。
【００６３】
各照明装置Ａ〜Ｄは、プロジェクタ１から位置情報を受信した場合に、調光制御を開始する（ステップS46）。各照明装置Ａ〜Ｄの調光率設定部３５は、位置測定部３９により照明装置３自身の位置情報を取得し、調光部３３に通知する。調光部３３は、プロジェクタ１から受信したスクリーン２の位置情報と照明装置３自身の位置情報とに基づいて発光部３１から発する光の調光率を変更する（ステップS47）。例えば、照明装置Ａは、スクリーン２の位置から遠い場所に位置するため、照明装置Ａの発光部３１から発する光の調光率が高くなるように変更する。また、照明装置Ｄは、スクリーン２の位置から近い場所に位置するため、照明装置Ｄの発光部３１から発する光の調光率が低くなるように変更する。各照明装置Ａ〜Ｄの記憶部３２には、スクリーン２と照明装置３との間の距離に応じた調光率が記憶されている。このため、調光部３３は、スクリーン２の位置情報と照明装置３自身の位置情報とに基づいてスクリーン２と照明装置３との間の距離を算出し、その算出した距離に応じた調光率を決定する。そして、その決定した調光率で発光部３１から発する光の調光率を変更する。
【００６４】
これにより、本実施形態の映像投影システムは、プロジェクタ１の使用時に、図６に示すように、照明装置Ａ〜Ｄ毎に調光率を変え、照明装置Ａ〜Ｄの明るさを最適化することができる。その結果、会議室内のどのエリアＡ〜Ｄであっても、必要な明るさを確保し、メモなどを書いたり、配布資料を確認したりするといった作業がやりやすい環境を構築することができる。
【００６５】
＜本実施形態の映像投影システムの作用・効果＞
本実施形態のプロジェクタ１は、プロジェクタ１の使用時に各照明装置Ａ〜Ｄにスクリーン２の位置情報を通知する。そして、各照明装置Ａ〜Ｄは、プロジェクタ１から通知されたスクリーン２の位置情報と、照明装置３自身の位置情報と、に基づいて、発光部３１から発する光の調光率を変更して点灯する。これにより、照明装置Ａ〜Ｄの明るさを最適化することができる。
【００６６】
なお、図１３に示す処理動作例では、スクリーン２の位置情報と、照明装置３自身の位置情報と、に基づいて、発光部３１から発する光の調光率を変更して点灯することにしている。しかし、プロジェクタ１の位置情報と、照明装置３自身の位置情報と、に基づいて、発光部３１から発する光の調光率を変更して点灯することも可能である。この場合は、各照明装置Ａ〜Ｄの記憶部３２には、プロジェクタ１と照明装置３との間の距離に応じた調光率が記憶されることになる。
【００６７】
（第５の実施形態）
次に、第５の実施形態について説明する。
【００６８】
第４の実施形態は、プロジェクタ１および照明装置３は、位置測定部１７、３９を有して構成し、位置測定部１７でプロジェクタ１の位置を測定し、そのプロジェクタ１の位置を基にスクリーン２の位置を特定する。また、位置測定部３９で照明装置３の位置を測定する。そして、各照明装置Ａ〜Ｄは、スクリーン２の位置情報と、照明装置３自身の位置情報と、に基づいて、発光部３１から発する光の調光率を変更して点灯することにしている。
【００６９】
第５の実施形態は、照明装置３は、図１４に示すように、距離測定部４０を有して構成し、距離測定部４０でスクリーン２と照明装置３自身との間の距離を求める。そして、各照明装置Ａ〜Ｄは、距離測定部４０で求めた距離に基づいて、発光部３１から発する光の調光率を変更して点灯する。この場合も、照明装置Ａ〜Ｄの明るさを最適化することができる。以下、図１４、図１５を参照しながら、本実施形態の映像投影システムについて詳細に説明する。
【００７０】
＜プロジェクタ１、照明装置３の構成例＞
まず、図１４を参照しながら、本実施形態のプロジェクタ１、照明装置３の構成例について説明する。図１４は、プロジェクタ１、照明装置３の構成例を示す図である。
【００７１】
本実施形態の照明装置３は、距離測定部４０を有している。距離測定部４０は、スクリーン２と照明装置３自身との間の距離を求める。距離測定部４０は、例えば、光をスクリーン２に向けて照射し、スクリーン２からの反射光を受光し、光を照射してから反射光を受光するまでの時間を基に、スクリーン２と照明装置３との間の距離を測定する。これにより、スクリーン２と照明装置３自身との間の距離を求めることができる。距離測定部４０は、スクリーン２と照明装置３自身との間の距離を求めることが可能であればあらゆる方法が適用可能である。
【００７２】
＜映像投影システムの処理動作例＞
次に、図１５を参照しながら、本実施形態の映像投影システムの処理動作例について説明する。図１５は、映像投影システムの処理動作例を示す図である。
【００７３】
本実施形態のプロジェクタ１の調光判断部１４は、プロジェクタ１の電源をＯＮにした場合、または、投影を開始した場合に（ステップS4/Yes）、各照明装置Ａ〜Ｄの調光制御を開始すると判断する。そして、調光判断部１４は、電源をＯＮにした旨、または、投影を開始した旨を各照明装置Ａ〜Ｄに通知する（ステップS5）。
【００７４】
各照明装置Ａ〜Ｄは、電源をＯＮにした旨、または、投影を開始した旨を受け付けた場合に、調光制御を開始する（ステップS56）。各照明装置Ａ〜Ｄの調光率設定部３５は、距離測定部４０によりスクリーン２と照明装置３自身との間の距離を取得し、調光部３３に通知する。そして、調光部３３は、スクリーン２と照明装置３自身との間の距離に基づいて発光部３１から発する光の調光率を変更する（ステップS57）。例えば、照明装置Ａは、スクリーン２の位置から遠い場所に位置するため、照明装置Ａの発光部３１から発する光の調光率が高くなるように変更する。また、照明装置Ｄは、スクリーン２の位置から近い場所に位置するため、照明装置Ｄの発光部３１から発する光の調光率が低くなるように変更する。各照明装置Ａ〜Ｄの記憶部３２には、スクリーン２と照明装置３との間の距離に応じた調光率が記憶されている。このため、調光部３３は、距離測定部４０により測定したスクリーン２と照明装置３との間の距離に応じた調光率を決定することができる。そして、その決定した調光率で発光部３１から発する光の調光率を変更する。
【００７５】
これにより、本実施形態の映像投影システムは、プロジェクタ１の使用時に、図６に示すように、照明装置Ａ〜Ｄ毎に調光率を変え、照明装置Ａ〜Ｄの明るさを最適化することができる。その結果、会議室内のどのエリアＡ〜Ｄであっても、必要な明るさを確保し、メモなどを書いたり、配布資料を確認したりするといった作業がやりやすい環境を構築することができる。
【００７６】
＜本実施形態の映像投影システムの作用・効果＞
本実施形態の照明装置Ａ〜Ｄは、プロジェクタ１の使用時に、スクリーン２と照明装置３自身との間の距離を測定し、その測定した距離に基づいて、発光部３１から発する光の調光率を変更して点灯する。これにより、照明装置Ａ〜Ｄの明るさを最適化することができる。
【００７７】
（第６の実施形態）
次に、第６の実施形態について説明する。
【００７８】
第６の実施形態は、プロジェクタ１は、図１６に示すように、光源状態検出部１８を有し、光源状態検出部１８によりプロジェクタ１の光源の使用状態を検出する。使用状態としては、例えば、光源の使用時間があげられる。そして、調光判断部１４は、光源状態検出部１８で検出した光源の使用状態により各照明装置Ａ〜Ｄに通知する調光率を決定する。これにより、プロジェクタ１の光源の使用状態に応じた最適な調光率を各照明装置Ａ〜Ｄに通知して各照明装置Ａ〜Ｄの調光率を変更することができる。以下、図１６〜図１９を参照しながら、本実施形態の映像投影システムについて詳細に説明する。
【００７９】
＜プロジェクタ１の構成例＞
まず、図１６を参照しながら、本実施形態のプロジェクタ１の構成例について説明する。図１６は、プロジェクタ１、照明装置３の構成例を示す図である。
【００８０】
本実施形態のプロジェクタ１は、光源状態検出部１８を有している。光源状態検出部１８は、投影部１１の光源の使用状態を検出する。光源は、映像をスクリーン２上に投影する際に使用する。調光判断部１４は、光源状態検出部１８で検出した光源の使用状態により各照明装置Ａ〜Ｄに通知する調光率を決定する。本実施形態のプロジェクタ１は、図１７に示すように、各照明装置Ａ〜Ｄに通知する調光率を照明装置Ａ〜Ｄ毎および調光制御毎に記憶部１２に記憶している。そして、調光判断部１４は、光源状態検出部１８で検出した光源の使用状態により各照明装置Ａ〜Ｄに通知する調光率を記憶部１２に記憶した調光率の中から決定して各照明装置Ａ〜Ｄに通知する。調光制御は、光源の使用状態に応じて異なり、本実施形態では、調光制御１〜４の４つの調光制御に分類している。本実施形態の調光判断部１４は、光源状態検出部１８で検出した光源の使用状態に応じた調光制御を特定し、その調光制御に対応した調光率を記憶部１２に記憶した調光率の中から決定することになる。本実施形態では、調光制御が１→２→３→４になるにつれて調光率が低くなるように記憶部１２に設定している。
【００８１】
＜映像投影システムの処理動作例＞
次に、図１８を参照しながら、本実施形態の映像投影システムの処理動作例について説明する。図１８は、映像投影システムの処理動作例を示す図である。
【００８２】
本実施形態のプロジェクタ１の調光判断部１４は、プロジェクタ１の電源をＯＮにした場合、または、投影を開始した場合に（ステップS64/Yes）、各照明装置Ａ〜Ｄの調光制御を開始すると判断する。そして、調光判断部１４は、光源状態検出部１８で検出したプロジェクタ１の光源の使用状態により各照明装置Ａ〜Ｄに通知する調光率を決定する（ステップS70）。ステップS70の調光率の決定処理例の詳細を図１９に示す。
【００８３】
まず、光源状態検出部１８は、プロジェクタ１の内部にてカウントされている光源の使用時間を確認する（ステップS71）。光源の使用時間の確認は、プロジェクタ１の電源ＯＮ時に行うことも可能である。
【００８４】
次に、調光判断部１４は、光源状態検出部１８が確認した光源の使用時間が１００時間以上か否かを判定する（ステップS72）。光源の使用時間が１００時間未満の場合は（ステップS72/No）、調光制御１を実行すると判断する（ステップS73）。この場合、調光判断部１４は、記憶部１２を参照し、各照明装置Ａ〜Ｄの調光制御１に対応する調光率を記憶部１２から読み出し、その読み出した調光率を各照明装置Ａ〜Ｄに通知する調光率と決定する。
【００８５】
また、光源の使用時間が１００時間以上の場合は（ステップS72/Yes）、光源の使用時間が１５０時間以上か否かを判定する（ステップS74）。光源の使用時間が１００時間以上１５０時間未満の場合は（ステップS74/No）、調光制御２を実行すると判断する（ステップS75）。この場合、調光判断部１４は、記憶部１２を参照し、各照明装置Ａ〜Ｄの調光制御２に対応する調光率を記憶部１２から読み出し、その読み出した調光率を各照明装置Ａ〜Ｄに通知する調光率と決定する。
【００８６】
また、光源の使用時間が１５０時間以上の場合は（ステップS74/Yes）、光源の使用時間が２００時間以上か否かを判定する（ステップS76）。光源の使用時間が１５０時間以上２００時間未満の場合は（ステップS76/No）、調光制御３を実行すると判断する（ステップS77）。この場合、調光判断部１４は、記憶部１２を参照し、各照明装置Ａ〜Ｄの調光制御３に対応する調光率を記憶部１２から読み出し、その読み出した調光率を各照明装置Ａ〜Ｄに通知する調光率と決定する。
【００８７】
また、光源の使用時間が２００時間以上の場合は（ステップS76/Yes）、光源の寿命が近いため、光源を交換する旨のメッセージを通知し（ステップS78）、調光制御４を実行すると判断する（ステップS79）。この場合、調光判断部１４は、記憶部１２を参照し、各照明装置Ａ〜Ｄの調光制御４に対応する調光率を記憶部１２から読み出し、その読み出した調光率を各照明装置Ａ〜Ｄに通知する調光率と決定する。
【００８８】
これにより、調光判断部１４は、光源状態検出部１８で検出した光源の使用状態により各照明装置Ａ〜Ｄに通知する調光率を決定することができる。調光判断部１４は、ステップS70で決定した各照明装置Ａ〜Ｄの調光率を各照明装置Ａ〜Ｄに通知する（ステップS35）。
【００８９】
プロジェクタ１は、光源の使用時間が長いほど、光源の光量が小さくなるため、光源の使用時間が長いほど、室内を暗くしたほうが、プロジェクタ１からスクリーン２上に投影して表示した映像を見やすくすることができる。このため、光源の使用時間に応じて決定した調光制御が調光制御１から調光制御４に移行するほど、照明装置Ａ〜Ｄの調光率を低くして照明を暗くする方向に制御する。これにより、プロジェクタ１の光源の使用時間に応じた最適な調光率を各照明装置Ａ〜Ｄに通知することができる。
【００９０】
各照明装置Ａ〜Ｄは、プロジェクタ１から調光率を受け付けた場合に、調光制御を開始する（ステップS36）。各照明装置Ａ〜Ｄの調光率設定部３５は、プロジェクタ１から受け付けた調光率を調光部３３に通知し、調光部３３は、発光部３１から発する光の調光率をプロジェクタ１から受け付けた調光率になるように制御する（ステップS37）。
【００９１】
＜本実施形態の映像投影システムの作用・効果＞
本実施形態のプロジェクタ１は、プロジェクタ１の使用時に光源状態検出部１８によりプロジェクタ１の光源の使用状態を検出する。そして、調光判断部１４は、光源状態検出部１８で検出した光源の使用状態により各照明装置Ａ〜Ｄに通知する調光率を決定する。これにより、プロジェクタ１の光源の使用状態に応じた最適な調光率を各照明装置Ａ〜Ｄに通知して各照明装置Ａ〜Ｄの調光率を変更することができる。
【００９２】
なお、図１８、図１９に示す処理動作例では、光源状態検出部１８で検出した光源の使用状態により各照明装置Ａ〜Ｄに通知する調光率を決定し、その決定した調光率を各照明装置Ａ〜Ｄに通知するようにしている。そして、各照明装置Ａ〜Ｄは、プロジェクタ１から通知された調光率になるように発光部３１から発する光の調光率を変更することにしている。しかし、例えば、第１、第２の実施形態において、プロジェクタ１は、光源状態検出部１８で検出した光源の使用状態により各照明装置Ａ〜Ｄの記憶部１２に記憶する調光率を決定する。そして、各照明装置Ａ〜Ｄは、プロジェクタ１で決定した調光率を記憶部３２に記憶するように構築することも可能である。これにより、プロジェクタ１の光源の使用状態に応じた最適な調光率を各照明装置Ａ〜Ｄの記憶部３２に記憶することが可能となる。この場合、プロジェクタ１は、光源の使用状態に応じた調光率が変わった場合に、各照明装置Ａ〜Ｄに調光率を通知して記憶部３２に記憶する必要がある。また、第４、第５の実施形態において、プロジェクタ１は、光源状態検出部１８で検出した光源の使用状態により各照明装置Ａ〜Ｄの記憶部３２に記憶する距離に応じた調光率を決定する。そして、各照明装置Ａ〜Ｄは、プロジェクタ１で決定した距離に応じた調光率を記憶部３２に記憶するように構築することも可能である。これにより、プロジェクタ１の光源の使用状態および距離に応じた最適な調光率を各照明装置Ａ〜Ｄの記憶部３２に記憶することが可能となる。この場合も、プロジェクタ１は、光源の使用状態に応じた調光率が変わった場合に、各照明装置Ａ〜Ｄに調光率を通知して記憶部３２に記憶する必要がある。
【００９３】
なお、上述する実施形態は、本発明の好適な実施形態であり、上記実施形態のみに本発明の範囲を限定するものではなく、本発明の要旨を逸脱しない範囲において種々の変更を施した形態での実施が可能である。
【００９４】
例えば、上述する第１〜第６の実施形態で説明した処理動作例を適宜組み合わせて各照明装置Ａ〜Ｄの調光率を変更するように構築することも可能である。
【００９５】
また、上述した本実施形態の映像投影システムを構成する各装置の制御動作は、ハードウェア、または、ソフトウェア、あるいは、両者の複合構成を用いて実行することも可能である。
【００９６】
なお、ソフトウェアを用いて処理を実行する場合には、処理シーケンスを記録したプログラムを、専用のハードウェアに組み込まれているコンピュータ内のメモリにインストールして実行させることが可能である。あるいは、各種処理が実行可能な汎用コンピュータ内のメモリにインストールして実行させることが可能である。
【００９７】
例えば、プログラムは、記録媒体としてのハードディスクやＲＯＭ（Read Only Memory）に予め記録しておくことが可能である。あるいは、プログラムは、リムーバブル記録媒体に一時的、あるいは、永続的に記録しておくことが可能である。このようなリムーバブル記録媒体は、いわゆるパッケージソフトウエアとして提供することが可能である。リムーバブル記録媒体は、磁気ディスク、半導体メモリなどの各種記録媒体があげられる。
【００９８】
なお、プログラムは、上述したようなリムーバブル記録媒体からコンピュータにインストールすることになる。また、ダウンロードサイトからコンピュータに無線転送することになる。また、ネットワークを介してコンピュータに有線で転送することになる。
【００９９】
プログラムの形態としては、クラウド等によるネット上のサーバからの利用もありえる。一部のプログラムのみをコンピュータに転送して利用する形態もありえる。
【０１００】
また、上記実施形態の映像投影システムを構成する各装置は、上記実施形態で説明した処理動作に従って時系列的に処理を実行するだけに限定するものでない。例えば、処理を実行する装置の処理能力、あるいは、必要に応じて並列的にあるいは個別に処理を実行するように構築することも可能である。
【符号の説明】
【０１０１】
１    プロジェクタ
２    スクリーン
３    照明装置
４    照明スイッチ
１１    投影部
１２    記憶部
１３    制御部
１４    調光判断部
１５    通信部
１６    電源部
１７    位置測定部
１８    光源状態検出部
３１    発光部
３２    記憶部
３３    調光部
３４    制御部
３５    調光率設定部
３６    通信部
３７    電源部
３８    照度測定部
３９    位置測定部
４０    距離測定部
【先行技術文献】
【特許文献】
【０１０２】
【特許文献１】特開２０１２−１０８１６７号公報
【図１】
0006372218.tif 000002
【図２】
0006372218.tif 000003
【図３】
0006372218.tif 000004
【図４】
0006372218.tif 000005
【図５】
0006372218.tif 000006
【図６】
0006372218.tif 000007
【図７】
0006372218.tif 000008
【図８】
0006372218.tif 000009
【図９】
0006372218.tif 000010
【図１０】
0006372218.tif 000011
【図１１】
0006372218.tif 000012
【図１２】
0006372218.tif 000013
【図１３】
0006372218.tif 000014
【図１４】
0006372218.tif 000015
【図１５】
0006372218.tif 000016
【図１６】
0006372218.tif 000017
【図１７】
0006372218.tif 000018
【図１８】
0006372218.tif 000019
【図１９】
0006372218.tif 000020